(57)【要約】【課題】  一瞥しただけで暗証コードの全桁を同時に確認することが可能な表示装置を提供すること。【解決手段】    表示部４４は、「有効な発光手段」と「無効な発光手段」とを備えている。そして、「有効な発光手段」は、暗証コードを特定するための指標となる態様として、緑色で互いに同時に点灯される。一方、「無効な発光手段」は、「有効な発光手段」とは互いに異なる態様として、互いに同時に消灯される。そして、表示部４４は、「有効な発光手段」の数と「無効な発光手段」の数との合計が、暗証コードを構成する各桁の各々において該桁の暗証コードとして用いられる数字（「１」、「２」、「３」のいずれか）の中で最も大きな数字（「３」）と同じとなるように、暗証コードを構成する各桁毎に３個のＬＥＤ４４ｘを備えている。【選択図】      図４
2006169797.tif 000002
【特許請求の範囲】
【請求項１】
暗証コードを特定するための指標となる態様で互いに同時に点灯、互いに同時に点滅、又は互いに同時に消灯される有効な発光手段の数と、有効な発光手段とは互いに異なる態様で互いに同時に点灯、互いに同時に点滅、又は互いに同時に消灯される無効な発光手段の数との合計が、暗証コードを構成する各桁の各々において該桁の暗証コードとして用いられる数字の中で最も大きな数字以上となるように、暗証コードを構成する各桁毎に所定個数の発光手段を備えたことを特徴とする表示装置。
【請求項２】
請求項１に記載の表示装置において、
前記発光手段は、暗証コードを構成する各桁毎に、有効な発光手段と無効な発光手段とが一塊りとなって配置されていることを特徴とする表示装置。
【請求項３】
請求項１又は請求項２に記載の表示装置において、
前記発光手段は、暗証コードを構成する各桁の各々において、有効な発光手段が互いに連続して配置されている一方、該有効な発光手段に続いて無効な発光手段が互いに連続して配置されていることを特徴とする表示装置。
【発明の詳細な説明】
【技術分野】
【０００１】
本発明は、表示装置に関する。
【背景技術】
【０００２】
特許文献１には、住宅の窓の施解錠状態を監視するモニタシステム（施解錠状態監視装置）が開示されている。モニタシステムは、センサ装置（子機）とモニタ装置（親機）とを備えている。センサ装置は、窓の施解錠状態を検出する。そして、センサ装置は、該センサ装置毎に個別に設定されたＩＤコードと、自身が監視する窓の施解錠状態を示す状態コード（施錠状態コード又は解錠状態コード）とを含むＩＤコード信号を外部に送信する。
【０００３】
一方、モニタ装置は、センサ装置から送信されてくるＩＤコード信号を受信したとき、そのＩＤコード信号に含まれているＩＤコードからセンサ装置を特定する。そして、モニタ装置は、同じくＩＤコード信号に含まれている状態コードから、該特定したセンサ装置により監視されている窓の施解錠状態を認識する。そして、モニタ装置は、該窓が施錠状態にあるのか或いは解錠状態にあるのかを視覚的に報知する。その結果、モニタシステムが設置された住宅の家人は、モニタ装置による報知内容を一瞥するだけで窓の施解錠状態を的確に把握することができる。
【０００４】
ここで、モニタ装置には、在宅モードや警戒モードが存在する。在宅モードは、家人の在宅中に設定されることを前提としたモードである。このため、在宅モードでは、窓の施解錠状態を視覚的に報知することが主に行われ、窓が解錠されたときにはブザーが短時間に亘って鳴動される。一方、警戒モードは、家人の外出に伴って設定されることを前提としたモードである。このため、警戒モードでは、窓が解錠されたときにはブザーが長時間に亘って鳴動される。
【特許文献１】特開２００２−１１５４２９号公報
【発明の開示】
【発明が解決しようとする課題】
【０００５】
ところで、窓のみならずドアの施解錠状態をもモニタ装置により報知することができれば、モニタシステムを用いた集中管理が実現できて都合がよい。しかし、窓は外出や帰宅に伴って家人が出入りするためのものでないが、ドアは外出や帰宅に伴って家人が出入りするためのものである。このため、モニタ装置を警戒モードに設定して外出した後、帰宅に伴ってドアを解錠したとき、モニタ装置のブザーが長時間に亘って鳴動されてしまう。そこで、このようなときでも、ドアを解錠してから所定時間が経過するまでの期間内に暗証コードを入力した場合に限り、モニタ装置のブザーが長時間に亘って鳴動されないようにすることが考えられる。
【０００６】
しかしながら、家人が暗証コードを忘れてしまう場合も考えられる。この場合、該期間内に暗証コードを入力することができない。その結果、ドアを解錠してから暗証コードを入力することなく該所定時間が経過したとき、モニタ装置のブザーが長時間に亘って鳴動されてしまう。従って、家人が暗証コードを忘れないようにするために、暗証コードを確認可能な表示装置が存在すれば好適である。
【０００７】
本発明は、このような問題点に着目してなされたものであって、その目的は、一瞥しただけで暗証コードの全桁を同時に確認することが可能な表示装置を提供することにある。
【課題を解決するための手段】
【０００８】
上記の目的を達成するために、請求項１に記載の発明では、暗証コードを特定するための指標となる態様で互いに同時に点灯、互いに同時に点滅、又は互いに同時に消灯される有効な発光手段の数と、有効な発光手段とは互いに異なる態様で互いに同時に点灯、互いに同時に点滅、又は互いに同時に消灯される無効な発光手段の数との合計が、暗証コードを構成する各桁の各々において該桁の暗証コードとして用いられる数字の中で最も大きな数字以上となるように、暗証コードを構成する各桁毎に所定個数の発光手段を備えたことを特徴とする。
【０００９】
請求項２に記載の発明では、請求項１に記載の表示装置において、前記発光手段は、暗証コードを構成する各桁毎に、有効な発光手段と無効な発光手段とが一塊りとなって配置されていることを特徴とする。
【００１０】
請求項３に記載の発明では、請求項１又は請求項２に記載の表示装置において、前記発光手段は、暗証コードを構成する各桁の各々において、有効な発光手段が互いに連続して配置されている一方、該有効な発光手段に続いて無効な発光手段が互いに連続して配置されていることを特徴とする。
【００１１】
以下、本発明の「作用」について説明する。
請求項１に記載の発明によると、有効な発光手段の数を指標として、暗証コードを構成する各桁の各々において該桁の暗証コードとして用いられる数字を特定することが可能である。
【００１２】
請求項２に記載の発明によると、暗証コードを構成する各桁毎に一塊りとなって配置されている発光手段のうち、有効な発光手段の数を指標として、暗証コードを構成する各桁の各々において該桁の暗証コードとして用いられる数字を特定することが可能である。従って、暗証コードを容易に確認できる。
【００１３】
請求項３に記載の発明によると、互いに連続して配置されている有効な発光手段の数を指標として、暗証コードを構成する各桁の各々において該桁の暗証コードとして用いられる数字を特定することが可能である。従って、暗証コードを迅速且つ正確に確認できる。
【発明の効果】
【００１４】
本発明は、以上のように構成されているため、次のような効果を奏する。
請求項１〜請求項３のいずれか１項に記載の発明によれば、一瞥しただけで暗証コードの全桁を同時に確認することができる。
【発明を実施するための最良の形態】
【００１５】
以下、本発明を住宅のモニタシステムに具体化した一実施形態を説明する。
図１に示すように、モニタシステム１は、センサ装置２とドアセンサ装置３とモニタ装置４とを備えている。センサ装置２は、窓（監視対象）の施解錠状態を検出するためのものである。ドアセンサ装置３は、ドア（監視対象）の施解錠状態を検出するためのものである。モニタ装置４は、センサ装置２やドアセンサ装置３により検出された監視対象の施解錠状態を報知するためのものである。モニタシステム１は、センサ装置２（送信側）やドアセンサ装置３（送信側）とモニタ装置４（受信側）との間で単方向通信が可能である。
【００１６】
本実施形態のモニタシステム１は、センサ装置２としてセンサ装置２Ａ〜２Ｄが存在する。センサ装置２Ａは、住宅１階の窓Ａの施解錠状態を検出するためのものである。センサ装置２Ｂは、住宅１階の窓Ｂの施解錠状態を検出するためのものである。センサ装置２Ｃは、住宅２階の窓Ｃの施解錠状態を検出するためのものである。センサ装置２Ｄは、住宅２階の窓Ｄの施解錠状態を検出するためのものである。一方、ドアセンサ装置３は、住宅１階の玄関ドアＥの施解錠状態を検出するためのものである。従って、本実施形態のモニタシステム１は、センサ装置２Ａ〜２Ｄの各々（送信側）やドアセンサ装置３（送信側）とモニタ装置４（受信側）との間で単方向通信が可能である。
【００１７】
尚、センサ装置２Ａ〜２Ｄの各々の構成は、互いに同様である。従って、センサ装置２Ａ〜２Ｄの各々の特徴点の説明を除いて、センサ装置２Ａ〜２Ｄの各々の共通点の説明をセンサ装置２の説明で代用する。
【００１８】
センサ装置２は、送信機能を有している。センサ装置２は、リードスイッチ２１、マイコン２２、送信回路２３、送信アンテナ２４を備えている。リードスイッチ２１は、窓の施解錠状態を検出するためのものである。リードスイッチ２１は、窓が施錠状態（ロック状態）にあるときＯＮ作動し、窓が施錠状態にある旨を示す検出信号をマイコン２２に出力する。一方、リードスイッチ２１は、窓が解錠状態（アンロック状態）にあるときＯＦＦ作動し、窓が解錠状態にある旨を示す検出信号をマイコン２２に出力する。
【００１９】
ちなみに、リードスイッチ２１は、窓を施解錠するために操作される被操作手段に内蔵された磁石を検出可能な磁気センサである。つまり、リードスイッチ２１は、窓が施錠されるのに際して、該被操作手段が操作されて磁石がリードスイッチ２１に近接されたとき、ＯＮ作動する。一方、リードスイッチ２１は、窓が解錠されるのに際して、該被操作手段が操作されて磁石がリードスイッチ２１から遠ざかったとき、ＯＦＦ作動する。
【００２０】
マイコン２２は、図示しないＣＰＵ、ＲＯＭ、ＲＡＭ等からなるＣＰＵユニットである。マイコン２２は、不揮発性のメモリ２２ａを備えている。メモリ２２ａには、センサ装置２毎に個別に設定されたＩＤコード（センサ装置２のＩＤコード）が記憶されている。ここで、センサ装置２Ａのメモリ２２ａには、第１ＩＤコードが記憶されている。センサ装置２Ｂのメモリ２２ａには、第２ＩＤコードが記憶されている。センサ装置２Ｃのメモリ２２ａには、第３ＩＤコードが記憶されている。センサ装置２Ｄのメモリ２２ａには、第４ＩＤコードが記憶されている。
【００２１】
マイコン２２は、リードスイッチ２１から検出信号が入力されたとき、センサ装置２のＩＤコードと、該センサ装置２により検出された窓の施解錠状態を示す状態コードとを含むＩＤコード信号を送信回路２３に出力する。つまり、マイコン２２は、リードスイッチ２１から窓が施錠状態にある旨を示す検出信号が入力されたとき、センサ装置２のＩＤコードと、窓が施錠状態にある旨を示す施錠状態コードとを含むＩＤコード信号を送信回路２３に出力する。一方、マイコン２２は、リードスイッチ２１から窓が解錠状態にある旨を示す検出信号が入力されたとき、センサ装置２のＩＤコードと、窓が解錠状態にある旨を示す解錠状態コードとを含むＩＤコード信号を送信回路２３に出力する。
【００２２】
送信回路２３は、マイコン２２から入力されたＩＤコード信号を所定周波数（本実施形態では４２６ＭＨｚ）の電波に変調する。送信アンテナ２４は、送信回路２３により変調されたＩＤコード信号を外部に送信するための媒体である。ちなみに、センサ装置２Ａから送信されるＩＤコード信号は、第１ＩＤコードを含む第１ＩＤコード信号である。センサ装置２Ｂから送信されるＩＤコード信号は、第２ＩＤコードを含む第２ＩＤコード信号である。センサ装置２Ｃから送信されるＩＤコード信号は、第３ＩＤコードを含む第３ＩＤコード信号である。センサ装置２Ｄから送信されるＩＤコード信号は、第４ＩＤコードを含む第４ＩＤコード信号である。
【００２３】
ドアセンサ装置３は、送信機能を有している。ドアセンサ装置３は、リードスイッチ３１、マイコン３２、送信回路３３、送信アンテナ３４を備えている。リードスイッチ３１は、ドアの施解錠状態を検出するためのものである。リードスイッチ３１は、ドアが施錠状態（ロック状態）にあるときＯＮ作動し、ドアが施錠状態にある旨を示す検出信号をマイコン３２に出力する。一方、リードスイッチ３１は、ドアが解錠状態（アンロック状態）にあるときＯＦＦ作動し、ドアが解錠状態にある旨を示す検出信号をマイコン３２に出力する。
【００２４】
ちなみに、リードスイッチ３１は、ドアを施解錠するために操作される被操作手段に内蔵された磁石を検出可能な磁気センサである。つまり、リードスイッチ３１は、ドアが施錠されるのに際して、該被操作手段が操作されて磁石がリードスイッチ３１に近接されたとき、ＯＮ作動する。一方、リードスイッチ３１は、ドアが解錠されるのに際して、該被操作手段が操作されて磁石がリードスイッチ３１から遠ざかったとき、ＯＦＦ作動する。
【００２５】
マイコン３２は、図示しないＣＰＵ、ＲＯＭ、ＲＡＭ等からなるＣＰＵユニットである。マイコン３２は、不揮発性のメモリ３２ａを備えている。メモリ３２ａには、ドアセンサ装置３毎に個別に設定されたＩＤコード（ドアセンサ装置３のＩＤコード）が記憶されている。ここで、メモリ３２ａには、第５ＩＤコードが記憶されている。
【００２６】
マイコン３２は、リードスイッチ３１から検出信号が入力されたとき、ドアセンサ装置３のＩＤコードと、該ドアセンサ装置３により検出されたドアの施解錠状態を示す状態コードとを含むＩＤコード信号を送信回路３３に出力する。つまり、マイコン３２は、リードスイッチ３１からドアが施錠状態にある旨を示す検出信号が入力されたとき、ドアセンサ装置３のＩＤコードと、ドアが施錠状態にある旨を示す施錠状態コードとを含むＩＤコード信号を送信回路３３に出力する。一方、マイコン３２は、リードスイッチ３１からドアが解錠状態にある旨を示す検出信号が入力されたとき、ドアセンサ装置３のＩＤコードと、ドアが解錠状態にある旨を示す解錠状態コードとを含むＩＤコード信号を送信回路３３に出力する。
【００２７】
送信回路３３は、マイコン３２から入力されたＩＤコード信号を所定周波数（本実施形態では４２６ＭＨｚ）の電波に変調する。送信アンテナ３４は、送信回路３３により変調されたＩＤコード信号を外部に送信するための媒体である。ちなみに、ドアセンサ装置３から送信されるＩＤコード信号は、第５ＩＤコードを含む第５ＩＤコード信号である。
【００２８】
モニタ装置４は、受信機能を有している。モニタ装置４は、受信アンテナ４１、受信回路４２、マイコン４３、表示部４４、ブザー４５を備えている。受信アンテナ４１は、センサ装置２やドアセンサ装置３から送信されてくるＩＤコード信号を受信するための媒体である。受信回路４２は、受信アンテナ４１によりＩＤコード信号が受信されたとき、そのＩＤコード信号を復調して受信信号を生成し、その受信信号をマイコン４３に出力する。
【００２９】
マイコン４３は、図示しないＣＰＵ、ＲＯＭ、ＲＡＭ等からなるＣＰＵユニットである。マイコン４３は、不揮発性のメモリ４３ａを備えている。メモリ４３ａには、センサ装置２やドアセンサ装置３のＩＤコードと同一のＩＤコード（住宅側のＩＤコード）が記憶されている。本実施形態においてメモリ４３ａには、センサ装置２Ａの第１ＩＤコード、センサ装置２Ｂの第２ＩＤコード、センサ装置２Ｃの第３ＩＤコード、センサ装置２Ｄの第４ＩＤコード、ドアセンサ装置３の第５ＩＤコード、の各々と同一のＩＤコード（住宅側の第１ＩＤコード〜第５ＩＤコード）が記憶されている。
【００３０】
特に、図２に示すように、メモリ４３ａには、住宅側の各ＩＤコードの各々が、後述する表示部４４のＬＥＤ４４ａ〜４４ｅの各々と関連付けされて記憶されている。ちなみに、第１ＩＤコードは、ＬＥＤ４４ａと関連付けされている。第２ＩＤコードは、ＬＥＤ４４ｂと関連付けされている。第３ＩＤコードは、ＬＥＤ４４ｃと関連付けされている。第４ＩＤコードは、ＬＥＤ４４ｄと関連付けされている。第５ＩＤコードは、ＬＥＤ４４ｅと関連付けされている。
【００３１】
マイコン４３は、受信回路４２から受信信号が入力されたとき、その受信信号に含まれているＩＤコードと住宅側の各ＩＤコードのいずれかとが一致しているか否かを判断する。つまり、この場合、マイコン４３は、ＩＤコード照合を実行する。マイコン４３は、両ＩＤコードが一致したとき、該一致したＩＤコード（第１ＩＤコード〜第５ＩＤコードのいずれか）に関連付けされているＬＥＤ（ＬＥＤ４４ａ〜４４ｅのいずれか）に発光指令信号を出力する。また、マイコン４３は、受信回路４２から入力された受信信号に住宅側の各ＩＤコードのいずれかと同一のＩＤコードが含まれており、且つ同受信信号に解錠状態コードが含まれているとき、ブザー４５に鳴動指令信号を出力する。
【００３２】
表示部４４は、ＬＥＤ４４ａ〜４４ｅを備えている。ＬＥＤ４４ａ〜４４ｅの各々は、マイコン４３から発光指令信号が入力されたとき、発光する。ＬＥＤ４４ａ〜４４ｅの各々は、２色ＬＥＤである。つまり、ＬＥＤ４４ａ〜４４ｅの各々は、緑色に発光する一方、赤色にも発光する。ブザー４５は、マイコン４３から鳴動指令信号が入力されたとき、鳴動する。
【００３３】
ところで、モニタ装置４には、在宅モードや警戒モードが存在する。在宅モードは、家人の在宅中に設定されることを前提としたモードである。警戒モードは、家人の外出に伴って設定されることを前提としたモードである。以下、監視対象の施解錠状態の報知態様をモード毎に説明する。
【００３４】
図３に示すように、表示部４４においてＬＥＤ４４ａ〜４４ｅの各々に対応する位置には、監視対象を示す表記が施されている。ちなみに、ＬＥＤ４４ａに対応する位置には、「１階窓Ａ」の表記が施されている。ＬＥＤ４４ｂに対応する位置には、「１階窓Ｂ」の表記が施されている。ＬＥＤ４４ｃに対応する位置には、「２階窓Ｃ」の表記が施されている。ＬＥＤ４４ｄに対応する位置には、「２階窓Ｄ」の表記が施されている。ＬＥＤ４４ｅに対応する位置には、「玄関ドアＥ」の表記が施されている。
【００３５】
そして、在宅モードにおいて１階の窓Ａが施錠状態にあるとき、ＬＥＤ４４ａが緑色に点灯される。同様に、在宅モードにおいて窓Ｂ（窓Ｃ、窓Ｄ）や玄関ドアＥが施錠状態にあるとき、ＬＥＤ４４ｂ（４４ｃ，４４ｄ）やＬＥＤ４４ｅが緑色に点灯される。
【００３６】
一方、在宅モードにおいて１階の窓Ａが解錠状態にあるとき、ＬＥＤ４４ａが赤色に点灯される。同様に、在宅モードにおいて窓Ｂ（窓Ｃ、窓Ｄ）や玄関ドアＥが解錠状態にあるとき、ＬＥＤ４４ｂ（４４ｃ，４４ｄ）やＬＥＤ４４ｅが赤色に点灯される。特に、在宅モードにおいて窓Ａ〜Ｄ及び玄関ドアＥの少なくとも１つが施錠状態から解錠状態に切り替わったとき、ブザー４５が短時間に亘って鳴動される。
【００３７】
これに対して、警戒モードにおいて１階の窓Ａが施錠状態にあるとき、ＬＥＤ４４ａが緑色に点灯される。同様に、警戒モードにおいて窓Ｂ（窓Ｃ、窓Ｄ）や玄関ドアＥが施錠状態にあるとき、ＬＥＤ４４ｂ（４４ｃ，４４ｄ）やＬＥＤ４４ｅが緑色に点灯される。
【００３８】
一方、警戒モードにおいて１階の窓Ａが解錠状態にあるとき、ＬＥＤ４４ａが赤色に点滅される。同様に、警戒モードにおいて窓Ｂ（窓Ｃ、窓Ｄ）や玄関ドアＥが解錠状態にあるとき、ＬＥＤ４４ｂ（４４ｃ，４４ｄ）やＬＥＤ４４ｅが赤色に点滅される。特に、警戒モードにおいて窓Ａ〜Ｄ及び玄関ドアＥの少なくとも１つが施錠状態から解錠状態に切り替わったとき、ブザー４５が長時間に亘って鳴動される。
【００３９】
尚、上記のように在宅モードや警戒モードにおいて監視対象の施解錠状態を報知するためには、予めセンサ装置２やドアセンサ装置３をモニタ装置４に登録しておく必要がある。しかし、該登録の手順は本発明の要部ではないため説明を割愛する。
【００４０】
次に、モニタシステム１の特徴点について説明する。
さて、本実施形態のモニタシステム１では、モニタ装置４を警戒モードに設定して外出した後、帰宅に伴って玄関ドアＥを解錠したときでも、玄関ドアＥを解錠してから所定時間が経過するまでの期間内に暗証コードを入力した場合に限り、モニタ装置４のブザー４５が長時間に亘って鳴動されないように配慮されている。
【００４１】
それを実現するため、モニタ装置４のマイコン４３は、警戒モードにおいて受信回路４２から玄関ドアＥが施錠状態にある旨を示す施錠状態コードを含む受信信号が入力されている状態で、同受信回路４２から玄関ドアＥが解錠状態にある旨を示す解錠状態コードを含む受信信号が入力されたとき、直ぐにはブザー４５に鳴動指令信号を出力しない。そして、マイコン４３は、このように受信回路４２から玄関ドアＥが解錠状態にある旨を示す解錠状態コードを含む受信信号が入力されてから暗証コードが入力されることなく所定時間が経過したとき、ブザー４５に鳴動指令信号を出力する。その結果、このようなとき、ブザー４５が長時間に亘って鳴動される。
【００４２】
換言すれば、家人に対して、ブザー４５が長時間に亘って鳴動されるのを回避するための猶予期間として所定時間が与えられている。従って、家人は、該猶予期間内に暗証コードを入力すればよい。
【００４３】
そこで、モニタ装置４は、「Ａ」スイッチ４６、「Ｂ」スイッチ４７、「Ｃ」スイッチ４８、登録スイッチ４９を備えている。「Ａ」スイッチ４６、「Ｂ」スイッチ４７、「Ｃ」スイッチ４８、の各々は、該猶予期間内に暗証コードを入力するために操作されるものである。「Ａ」スイッチ４６は、該「Ａ」スイッチ４６が操作されたとき、暗証コードとして「Ａ」を入力するための操作が行われた旨の検出信号をマイコン４３に出力する。「Ｂ」スイッチ４７は、該「Ｂ」スイッチ４７が操作されたとき、暗証コードとして「Ｂ」を入力するための操作が行われた旨の検出信号をマイコン４３に出力する。「Ｃ」スイッチ４８は、該「Ｃ」スイッチ４８が操作されたとき、暗証コードとして「Ｃ」を入力するための操作が行われた旨の検出信号をマイコン４３に出力する。
【００４４】
マイコン４３は、「Ａ」スイッチ４６から検出信号が入力されたとき、暗証コードとして「Ａ」が入力された旨を認識する。一方、マイコン４３は、「Ｂ」スイッチ４７から検出信号が入力されたとき、暗証コードとして「Ｂ」が入力された旨を認識する。他方、マイコン４３は、「Ｃ」スイッチ４８から検出信号が入力されたとき、暗証コードとして「Ｃ」が入力された旨を認識する。
【００４５】
ここで、本実施形態では、「Ａ」スイッチ４６、「Ｂ」スイッチ４７、「Ｃ」スイッチ４８、の少なくとも１つが用いられて、４桁の暗証コードが入力されることとする。尚、本実施形態においてメモリ４３ａには、正規の暗証コードとして「ＡＣＢＢ」が記憶されている。従って、本実施形態においてマイコン４３は、該猶予期間内に「Ａ」スイッチ４６が１回操作された後、「Ｃ」スイッチ４８が１回操作され、続けて「Ｂ」スイッチ４７が２回操作されたとき、モニタ装置４の警戒モードを解除してモニタ装置４を在宅モードに移行させる。ちなみに、マイコン４３は、モニタ装置４の在宅モード中に「Ａ」スイッチ４６が操作されたとき、モニタ装置４の在宅モードを解除してモニタ装置４を警戒モードに移行させる。
【００４６】
登録スイッチ４９は、モニタ装置４を登録モードに移行させるために操作されるものである。登録モードとは、センサ装置２やドアセンサ装置３をモニタ装置４に登録可能なモードである。尚、登録モードにおいてセンサ装置２やドアセンサ装置３をモニタ装置４に登録する手順は本発明の要部ではないため説明を割愛する。
【００４７】
次に、モニタシステム１の最大の特徴点について説明する。
さて、本実施形態のモニタシステム１は、家人が暗証コードを忘れないようにするために、暗証コードを確認可能な構成を有する点に最大の特徴がある。以下、暗証コードを確認する場合の手順について、モニタ装置４に暗証コードを登録する場合の手順に従って説明する。
【００４８】
まず、モニタ装置４の登録スイッチ４９を操作する。すると、マイコン４３によりモニタ装置４が登録モードに移行される。すると、登録対象となるセンサ装置２又はドアセンサ装置３（本実施形態ではセンサ装置２Ａが最初の登録対象）に関連付けされるＬＥＤ（本実施形態ではＬＥＤ４４ａ）が緑色で点滅される。
【００４９】
そして、この状態で「Ｂ」スイッチ４７と「Ｃ」スイッチ４８とを同時に所定時間（本実施形態では２秒間）に亘って操作する。すると、モニタ装置４のブザー４５が短時間に亘って鳴動されることで、モニタ装置４に暗証コードを登録可能な状態である旨が報知される。このとき、既にモニタ装置４に暗証コードが登録されている場合、表示部４４においてＬＥＤ４４ａ〜４４ｅを含む全てのＬＥＤが用いられて該暗証コードが報知される。ただし、ここでは、未だモニタ装置４に暗証コードが登録されていないため、全てのＬＥＤの各々は消灯されている。尚、表示部４４は、ＬＥＤ４４ａ〜４４ｅを含めて合計３０個のＬＥＤを備えている。以下、これら３０個のＬＥＤの各々をＬＥＤ４４ｘで統一する（図４（ａ）〜（ｄ）参照）。
【００５０】
その後、「Ａ」スイッチ４６、「Ｂ」スイッチ４７、「Ｃ」スイッチ４８、の少なくとも１つを用いて、４桁の暗証コードを入力する。本実施形態では、４桁の暗証コードとして「ＡＣＢＢ」を入力することとする。
【００５１】
従って、暗証コードの１桁目に関連して、まず「Ａ」スイッチ４６を１回操作する。すると、モニタ装置４のブザー４５が短時間に亘って鳴動されることで、暗証コードの１桁目の入力完了が報知される。加えて、暗証コードの１桁目として「Ａ」が入力済である旨が表示部４４により報知される。
【００５２】
ここで、本実施形態では、暗証コードを入力するために操作されるものとして、「Ａ」スイッチ４６、「Ｂ」スイッチ４７、「Ｃ」スイッチ４８が存在する。そして、これら各スイッチ４６〜４８の各々は、図４（ａ）〜（ｄ）に示すように、表示部４４の右下箇所において、左側から「Ａ」スイッチ４６、「Ｂ」スイッチ４７、「Ｃ」スイッチ４８の順に配設されている。このことから本実施形態では、「左側から何番目であるか」という規則に従って、「Ａ」が数字の「１」に、「Ｂ」が数字の「２」に、「Ｃ」が数字の「３」に、それぞれ当て嵌められている。
【００５３】
従って、上記のように暗証コードの１桁目として「Ａ」が入力された場合、暗証コードの１桁目が「Ａ」であることを確認させるために、１番目のＬＥＤ４４ｘが緑色で点灯される（図４（ａ）参照）。このとき、２番目〜３０番目の各ＬＥＤ４４ｘの各々は消灯されている。
【００５４】
次いで、暗証コードの２桁目に関連して、「Ｃ」スイッチ４８を１回操作する。すると、モニタ装置４のブザー４５が短時間に亘って鳴動されることで、暗証コードの２桁目の入力完了が報知される。加えて、暗証コードの２桁目として「Ｃ」が入力済である旨が表示部４４により報知される。ちなみに、このとき、暗証コードの１桁目として既に「Ａ」が入力済である旨も併せて表示部４４により報知される。従って、暗証コードの２桁目として「Ｃ」が入力された場合、暗証コードの１桁目が「Ａ」、且つ２桁目が「Ｃ」であることを同時に確認させるために、１番目、１１番目〜１３番目の各ＬＥＤ４４ｘの各々が緑色で点灯される（図４（ｂ）参照）。このとき、残りの各ＬＥＤ４４ｘの各々は消灯されている。
【００５５】
次いで、暗証コードの３桁目に関連して、「Ｂ」スイッチ４８を１回操作する。すると、モニタ装置４のブザー４５が短時間に亘って鳴動されることで、暗証コードの３桁目の入力完了が報知される。加えて、暗証コードの３桁目として「Ｂ」が入力済である旨が表示部４４により報知される。ちなみに、このとき、暗証コードの１桁目として既に「Ａ」が入力済であり、且つ暗証コードの２桁目として既に「Ｃ」が入力済である旨も併せて表示部４４により報知される。従って、暗証コードの３桁目として「Ｂ」が入力された場合、暗証コードの１桁目が「Ａ」、且つ２桁目が「Ｃ」、且つ３桁目が「Ｂ」であることを同時に確認させるために、１番目、１１番目〜１３番目、１６番目、１７番目の各ＬＥＤ４４ｘの各々が緑色で点灯される（図４（ｃ）参照）。このとき、残りの各ＬＥＤ４４ｘの各々は消灯されている。
【００５６】
次いで、暗証コードの４桁目に関連して、再び「Ｂ」スイッチ４８を１回操作する。すると、モニタ装置４のブザー４５が短時間に亘って鳴動されることで、暗証コードの４桁目の入力完了が報知される。加えて、暗証コードの４桁目として「Ｂ」が入力済である旨が表示部４４により報知される。ちなみに、このとき、暗証コードの１桁目として既に「Ａ」が入力済であり、且つ暗証コードの２桁目として既に「Ｃ」が入力済であり、且つ暗証コードの３桁目として既に「Ｂ」が入力済である旨も併せて表示部４４により報知される。従って、暗証コードの４桁目として「Ｂ」が入力された場合、暗証コードの１桁目が「Ａ」、且つ２桁目が「Ｃ」、且つ３桁目が「Ｂ」、且つ４桁目が「Ｂ」であることを同時に確認させるために、１番目、１１番目〜１３番目、１６番目、１７番目、２６番目、２７番目の各ＬＥＤ４４ｘの各々が緑色で点灯される（図４（ｄ）参照）。このとき、残りの各ＬＥＤ４４ｘの各々は消灯されている。
【００５７】
その後、モニタ装置４の登録スイッチ４９を操作する。すると、マイコン４３によりモニタ装置４の登録モードが解除される。そして、マイコン４３によりモニタ装置４が登録モードから在宅モードに移行される。
【００５８】
次に、暗証コードを確認可能な構成について、さらに詳しく説明する。
さて、本実施形態では、暗証コードが報知されるのに際して、監視対象の施解錠状態を報知するためのＬＥＤ４４ｘが兼用されている。そして、図４（ｄ）に示すように、３０個のＬＥＤ４４ｘのうち、１番目〜３番目のＬＥＤ４４ｘが用いられて、暗証コードの１桁目が報知される。一方、１１番目〜１３番目のＬＥＤ４４ｘが用いられて、暗証コードの２桁目が報知される。他方、１６番目〜１８番目のＬＥＤ４４ｘが用いられて、暗証コードの３桁目が報知される。最後に、２６番目〜２８番目のＬＥＤ４４ｘが用いられて、暗証コードの４桁目が報知される。
【００５９】
特に、本実施形態において暗証コードの１桁目は「Ａ（数字の「１」に当て嵌められている）」であることから、１番目〜３番目のＬＥＤ４４ｘのうち、左側から１番目のＬＥＤ４４ｘ（通し番号で１番目のＬＥＤ４４ｘ）が緑色で点灯されている。一方、１番目〜３番目のＬＥＤ４４ｘのうち、残りのＬＥＤ４４ｘ（通し番号で２番目及び３番目のＬＥＤ４４ｘ）は互いに同時に消灯されている。要するに、暗証コードの１桁目に関連して、通し番号で１番目のＬＥＤ４４ｘは「有効な発光手段」に相当する。一方、通し番号で２番目及び３番目のＬＥＤ４４ｘの各々は「無効な発光手段」に相当する。換言すれば、暗証コードの１桁目に関連して、「有効な発光手段」と「無効な発光手段」とが一塊りとなって配置されている。特に、暗証コードの１桁目において、「有効な発光手段」に続いて「無効な発光手段」が互いに連続して配置されている。
【００６０】
ちなみに、本実施形態では、暗証コードの１桁目として、家人が「Ａ」を選択する場合を想定している。言うまでもなく、暗証コードの１桁目として、家人が「Ｂ（数字の「２」に当て嵌められる）」や「Ｃ（数字の「３」に当て嵌められる）」を選択することも可能である。つまり、本実施形態では、暗証コードの１桁目として用いられる数字の中で最も大きな数字は「３」である。換言すれば、本実施形態では、暗証コードの１桁目において、「有効な発光手段」の数と「無効な発光手段」の数との合計が、該１桁目の暗証コードとして用いられる数字（「１」、「２」、「３」のいずれか）の中で最も大きな数字（「３」）と同じとなるように、暗証コードの１桁目に３個のＬＥＤ４４ｘを備えている。
【００６１】
一方、本実施形態において暗証コードの２桁目は「Ｃ（数字の「３」に当て嵌められている）」であることから、１１番目〜１３番目のＬＥＤ４４ｘのうち、左側から１番目〜３番目のＬＥＤ４４ｘ（通し番号で１１番目〜１３番目のＬＥＤ４４ｘ）の各々が緑色で互いに同時に点灯されている。一方、１１番目〜１３番目のＬＥＤ４４ｘのうち、消灯されているＬＥＤ４４ｘは存在しない。要するに、暗証コードの２桁目に関連して、通し番号で１１番目〜１３番目のＬＥＤ４４ｘの各々は「有効な発光手段」に相当する。一方、「無効な発光手段」に相当するＬＥＤ４４ｘは存在しない。換言すれば、暗証コードの２桁目において、「有効な発光手段」が互いに連続して配置されている。
【００６２】
ちなみに、本実施形態では、暗証コードの２桁目として、家人が「Ｃ」を選択する場合を想定している。言うまでもなく、暗証コードの１桁目として、家人が「Ａ（数字の「１」に当て嵌められる）」や「Ｂ（数字の「２」に当て嵌められる）」を選択することも可能である。つまり、本実施形態では、暗証コードの２桁目として用いられる数字の中で最も大きな数字は「３」である。換言すれば、本実施形態では、暗証コードの２桁目において、「有効な発光手段」の数と「無効な発光手段」の数との合計が、該２桁目の暗証コードとして用いられる数字（「１」、「２」、「３」のいずれか）の中で最も大きな数字（「３」）と同じとなるように、暗証コードの２桁目に３個のＬＥＤ４４ｘを備えている。
【００６３】
他方、本実施形態において暗証コードの３桁目は「Ｂ（数字の「２」に当て嵌められている）」であることから、１６番目〜１８番目のＬＥＤ４４ｘのうち、左側から１番目及び２番目のＬＥＤ４４ｘ（通し番号で１６番目及び１７番目のＬＥＤ４４ｘ）の各々が緑色で互いに同時に点灯されている。一方、１６番目〜１８番目のＬＥＤ４４ｘのうち、残りのＬＥＤ４４ｘ（通し番号で１８番目のＬＥＤ４４ｘ）は消灯されている。要するに、暗証コードの３桁目に関連して、通し番号で１６番目及び１７番目のＬＥＤ４４ｘの各々は「有効な発光手段」に相当する。一方、通し番号で１８番目のＬＥＤ４４ｘは「無効な発光手段」に相当する。換言すれば、暗証コードの３桁目に関連して、「有効な発光手段」と「無効な発光手段」とが一塊りとなって配置されている。特に、暗証コードの３桁目において、「有効な発光手段」が互いに連続して配置されている一方、該「有効な発光手段」に続いて「無効な発光手段」が配置されている。
【００６４】
ちなみに、本実施形態では、暗証コードの３桁目として、家人が「Ｂ」を選択する場合を想定している。言うまでもなく、暗証コードの４桁目として、家人が「Ａ（数字の「１」に当て嵌められる）」や「Ｃ（数字の「３」に当て嵌められる）」を選択することも可能である。つまり、本実施形態では、暗証コードの３桁目として用いられる数字の中で最も大きな数字は「３」である。換言すれば、本実施形態では、暗証コードの３桁目において、「有効な発光手段」の数と「無効な発光手段」の数との合計が、該３桁目の暗証コードとして用いられる数字（「１」、「２」、「３」のいずれか）の中で最も大きな数字（「３」）と同じとなるように、暗証コードの３桁目に３個のＬＥＤ４４ｘを備えている。
【００６５】
最後に、本実施形態において暗証コードの４桁目は「Ｂ（数字の「２」に当て嵌められている）」であることから、２６番目〜２８番目のＬＥＤ４４ｘのうち、左側から１番目及び２番目のＬＥＤ４４ｘ（通し番号で２６番目及び２７番目のＬＥＤ４４ｘ）の各々が緑色で互いに同時に点灯されている。一方、２６番目〜２８番目のＬＥＤ４４ｘのうち、残りのＬＥＤ４４ｘ（通し番号で２８番目のＬＥＤ４４ｘ）は消灯されている。要するに、暗証コードの４桁目に関連して、通し番号で２６番目及び２７番目のＬＥＤ４４ｘの各々は「有効な発光手段」に相当する。一方、通し番号で２８番目のＬＥＤ４４ｘは「無効な発光手段」に相当する。換言すれば、暗証コードの４桁目に関連して、「有効な発光手段」と「無効な発光手段」とが一塊りとなって配置されている。特に、暗証コードの４桁目において、「有効な発光手段」が互いに連続して配置されている一方、該「有効な発光手段」に続いて「無効な発光手段」が配置されている。
【００６６】
ちなみに、本実施形態では、暗証コードの４桁目として、家人が「Ｂ」を選択する場合を想定している。言うまでもなく、暗証コードの４桁目として、家人が「Ａ（数字の「１」に当て嵌められる）」や「Ｃ（数字の「３」に当て嵌められる）」を選択することも可能である。つまり、本実施形態では、暗証コードの４桁目として用いられる数字の中で最も大きな数字は「３」である。換言すれば、本実施形態では、暗証コードの４桁目において、「有効な発光手段」の数と「無効な発光手段」の数との合計が、該４桁目の暗証コードとして用いられる数字（「１」、「２」、「３」のいずれか）の中で最も大きな数字（「３」）と同じとなるように、暗証コードの４桁目に３個のＬＥＤ４４ｘを備えている。
【００６７】
尚、通し番号で４番目〜１０番目、１４番目、１５番目、１９番目〜２５番目、２９番目、３０番目のＬＥＤ４４ｘの各々は、暗証コードの報知に直接的には関与していない。つまり、これらのＬＥＤ４４ｘの各々は、暗証コードの各桁間のブランクとして機能する。これにより、４桁の暗証コードとして、仮に「ＣＣＣＣ」を選択する場合でも、暗証コードの各桁毎の「有効な発光手段」同士が互いに連続することがない。
【００６８】
これらのように、本実施形態のモニタシステム１は、暗証コードを確認可能な表示装置として好適な表示部４４を備えている。表示部４４は、「有効な発光手段」と「無効な発光手段」とを備えている。そして、「有効な発光手段」は、暗証コードを特定するための指標となる態様として、緑色で互いに同時に点灯される。一方、「無効な発光手段」は、「有効な発光手段」とは互いに異なる態様として、互いに同時に消灯される。そして、表示部４４は、「有効な発光手段」の数と「無効な発光手段」の数との合計が、暗証コードを構成する各桁の各々において該桁の暗証コードとして用いられる数字（「１」、「２」、「３」のいずれか）の中で最も大きな数字（「３」）と同じとなるように、暗証コードを構成する各桁毎に３個のＬＥＤ４４ｘを備えている。
【００６９】
そして、ＬＥＤ４４ｘは、暗証コードを構成する各桁毎に、「有効な発光手段」と「無効な発光手段」とが一塊りとなって配置されている。特に、ＬＥＤ４４ｘは、暗証コードを構成する各桁の各々において、「有効な発光手段」が互いに連続して配置されている一方、該「有効な発光手段」に続いて「無効な発光手段」が互いに連続して配置されている。
【００７０】
以上、詳述したように本実施形態によれば、次のような作用、効果を得ることができる。
（１）「有効な発光手段」の数を指標として、暗証コードを構成する各桁の各々において該桁の暗証コードとして用いられる数字を特定することが可能である。従って、一瞥しただけで暗証コードの全桁を同時に確認することができる。
【００７１】
（２）暗証コードを構成する各桁毎に一塊りとなって配置されているＬＥＤ４４ｘのうち、「有効な発光手段」の数を指標として、暗証コードを構成する各桁の各々において該桁の暗証コードとして用いられる数字を特定することが可能である。従って、暗証コードを容易に確認できる。
【００７２】
（３）互いに連続して配置されている「有効な発光手段」の数を指標として、暗証コードを構成する各桁の各々において該桁の暗証コードとして用いられる数字を特定することが可能である。従って、暗証コードを迅速且つ正確に確認できる。
【００７３】
（４）暗証コードが報知されるのに際して、監視対象の施解錠状態を報知するためのＬＥＤ４４ｘが兼用されている。このため、暗証コードを報知するための報知手段をＬＥＤ４４ｘとは別に設ける必要がない。従って、モニタ装置４が大型化するのを回避できる。
【００７４】
（５）７セグメントＬＥＤを用いることなく、暗証コードを報知することが可能である。従って、モニタ装置４の部品コストを抑制できる。
（６）暗証コードの各桁間にブランクを設けている。このため、暗証コードの各桁毎の数字を瞬時にして正確に確認できる。
【００７５】
尚、前記実施形態は、次のように変更して具体化することも可能である。
・「有効な発光手段」は、緑色で互いに同時に点灯される態様に限定されない。即ち、「有効な発光手段」は、緑色で互いに同時に点滅される態様であってもよい。或いは、「有効な発光手段」は、互いに同時に消灯される態様であってもよい。或いは、「有効な発光手段」は、赤色で互いに同時に点灯される態様であってもよい。或いは、「有効な発光手段」は、赤色で互いに同時に点滅される態様であってもよい。
【００７６】
・「無効な発光手段」は、「有効な発光手段」とは互いに異なる態様であれば、互いに同時に消灯される態様に限定されない。即ち、「無効な発光手段」は、緑色で互いに同時に点灯される態様であってもよい。或いは、「無効な発光手段」は、緑色で互いに同時に点滅される態様であってもよい。或いは、「無効な発光手段」は、赤色で互いに同時に点灯される態様であってもよい。或いは、「無効な発光手段」は、赤色で互いに同時に点滅される態様であってもよい。
【００７７】
・「有効な発光手段」が緑色で互いに同時に点灯される態様であるとき、「無効な発光手段」が赤色で互いに同時に点灯される態様であってもよい。逆に、「有効な発光手段」が赤色で互いに同時に点灯される態様であるとき、「無効な発光手段」が緑色で互いに同時に点灯される態様であってもよい。要するに、「有効な発光手段」と「無効な発光手段」とで互いに発光色が異なれば、「有効な発光手段」と「無効な発光手段」とが互いに点灯される態様であってもよい。
【００７８】
・「有効な発光手段」が緑色で互いに同時に点滅される態様であるとき、「無効な発光手段」が赤色で互いに同時に点滅される態様であってもよい。逆に、「有効な発光手段」が赤色で互いに同時に点滅される態様であるとき、「無効な発光手段」が緑色で互いに同時に点滅される態様であってもよい。要するに、「有効な発光手段」と「無効な発光手段」とで互いに発光色が異なれば、「有効な発光手段」と「無効な発光手段」とが互いに点滅される態様であってもよい。
【００７９】
・「有効な発光手段」が緑色で互いに同時に点滅される態様であるとき、「無効な発光手段」が「有効な発光手段」とは互いに異なるタイミングで緑色で互いに同時に点滅される態様であってもよい。或いは、「有効な発光手段」が赤色で互いに同時に点滅される態様であるとき、「無効な発光手段」が「有効な発光手段」とは互いに異なるタイミングで赤色で互いに同時に点滅される態様であってもよい。要するに、「有効な発光手段」と「無効な発光手段」とで点滅するタイミングが互いに異なれば、「有効な発光手段」と「無効な発光手段」とが互いに同じ発光色で点滅される態様であってもよい。
【００８０】
・「有効な発光手段」が緑色で互いに同時に点灯される態様であるとき、「無効な発光手段」が「有効な発光手段」とは互いに異なる輝度にて緑色で互いに同時に点灯される態様であってもよい。或いは、「有効な発光手段」が赤色で互いに同時に点灯される態様であるとき、「無効な発光手段」が「有効な発光手段」とは互いに異なる輝度にて赤色で互いに同時に点灯される態様であってもよい。要するに、「有効な発光手段」と「無効な発光手段」とで互いに輝度が異なれば、「有効な発光手段」と「無効な発光手段」とが互いに同じ発光色で互いに同時に点灯される態様であってもよい。
【００８１】
・「有効な発光手段」が緑色で互いに同時に点滅される態様であるとき、「無効な発光手段」が「有効な発光手段」とは互いに異なる輝度にて緑色で互いに同じタイミングで点滅される態様であってもよい。或いは、「有効な発光手段」が赤色で互いに同時に点滅される態様であるとき、「無効な発光手段」が「有効な発光手段」とは互いに異なる輝度にて赤色で互いに同じタイミングで点滅される態様であってもよい。要するに、「有効な発光手段」と「無効な発光手段」とで互いに輝度が異なれば、「有効な発光手段」と「無効な発光手段」とが互いに同じ発光色で互いに同じタイミングで点滅される態様であってもよい。
【００８２】
・一瞥しただけで暗証コードの全桁を同時に確認することができる、という効果を最大限発揮させるためには、「有効な発光手段」が互いに同時に点灯される態様であり、且つ「無効な発光手段」が互いに同時に消灯される態様であることが最も好ましい。
【図面の簡単な説明】
【００８３】
【図１】モニタシステムの構成を示すブロック図。
【図２】モニタ装置のメモリの記憶内容を示す概念図。
【図３】モニタ装置の表示部を示す概略図。
【図４】（ａ）〜（ｄ）暗証コードの報知態様を示す概略図。
【符号の説明】
【００８４】
４４…表示部（表示装置）、４４ｘ…ＬＥＤ（発光手段）。
【図１】
2006169797.tif 000003
【図２】
2006169797.tif 000004
【図３】
2006169797.tif 000005
【図４】
2006169797.tif 000006